(57)【要約】      （修正有）【課題】土手などの傾斜面の傾斜角度がかわっても適用することができる作業靴用滑り防止具を提供する。【解決手段】地面に接地する接地側本体部２と、作業靴が取り付けられる靴側本体部６と、接地側本体部２と靴側本体部６との間に介在された角度調整手段８とを備えた作業靴用滑り防止具。接地側本体部２は、地面に接地する接地部材１０と、接地部材１０の上面側に設けられた第１連結部１２とを備え、また靴側本体部６は、作業靴が載置される靴載置部材２４と、靴載置部材２４の下面側に設けられた第２連結部２６とを備え、第１連結部１２と第２連結部２６とが連結手段６０を介して連結されているとともに、角度調整手段８を介して角度調整可能に連結されている。【選択図】図２
2016039844.tif 000002
【特許請求の範囲】
【請求項１】
地面に接地する接地側本体部と、作業靴が取り付けられる靴側本体部と、前記接地側本体部と前記靴側本体部との間に介在された角度調整手段とを備え、前記接地側本体部は、地面に接地する接地部材と、前記接地部材の上面側に設けられた第１連結部とを備え、前記靴側本体部は、作業靴が載置される靴載置部材と、前記靴載置部材の下面側に設けられた第２連結部とを備え、前記接地本体部の前記第１連結部と前記靴側本体部の前記第２連結部とが連結手段を介して連結されているとともに、前記角度調整手段を介して角度調整可能に連結されていることを特徴とする作業靴用滑り防止具。
【請求項２】
前記角度調整手段は、前記接地側本体部の前記第１連結部に設けられた第１係合部材と、前記靴側本体部の前記第２連結部に設けられた第２係合部材とから構成され、前記第１係合部材の片面には、複数の第１係合突部及び第１係合凹部が周方向に交互に設けられ、前記第２係合部材における、前記第１係合部材の前記片面に対向する片面には、前記複数の第１係合突部及び第１係合凹部に係合するように、複数の第２係合凹部及び第２係合突部が周方向に交互に設けられていることを特徴とする請求項１に記載の作業靴用滑り防止具。
【請求項３】
前記連結手段は、前記接地側本体部の前記第１連結部及び前記靴側本体部の前記第２連結部を通して連結するためのロッド状部材を備え、前記角度調整手段に関連して弾性偏倚手段が設けられ、前記弾性偏倚手段は、前記第１係合部材の前記複数の第１係合突部及び第１係合凹部と前記第２係合部材の前記複数の第２係合凹部及び第２係合突部との係合状態を保持するように弾性的に偏倚することを特徴とする請求項２に記載の作業靴用滑り防止具。
【請求項４】
前記接地側本体部の前記第１連結部又は前記靴側本体部の前記第２連結部には収容空間が設けられ、前記収容空間に移動部材が前記第２連結部又は前記第１連結部に近接及び離隔する方向に移動自在に収容されており、また前記ロッド状部材は前記収容空間を通して延び、前記移動部材は、前記ロッド状部材に設けられた雄ねじ部に螺着され、前記弾性偏倚手段は、前記移動部材と前記第１連結部又は前記第２連結部の端壁部との間に介在されていることを特徴とする請求項３に記載の作業靴用滑り防止具。
【請求項５】
前記ロッド状部材の一端側は、前記接地側本体部の前記第１連結部を貫通して外側に突出し、前記ロッド状部材の他端側は、前記靴側本体部の前記第２連結部を貫通して外側に突出し、前記第１連結部及び／又は前記第２連結部には、前記ロッド状部材の一端側突出端部及び／又は他端側突出端部を覆うためのカバー部材が装着されていることを特徴とする請求項３又は４に記載の作業靴用滑り防止具。
【発明の詳細な説明】
【技術分野】
【０００１】
本発明は、河川の土手、池の堤、高速道路の法面などの傾斜面の草刈り作業などに用いる作業靴用滑り防止具に関する。
【背景技術】
【０００２】
河川の土手などの傾斜面の草刈り作業などを行う際に用いる作業靴用滑り防止具が提案されている（例えば、特許文献１参照）。この作業靴用滑り防止具は、略９０度の角度に折り曲げられた滑り防止具本体を備え、滑り防止具本体は、略下方に延びる脚部と、略水平に伸びる載置部とを有している。作業者が履いた作業靴は、この載置部に載置され、固定用の紐などによりこの載置部に固定される。
【０００３】
このような作業靴用滑り防止具では、脚部の先端部が土手などの傾斜面の下側に接地され、載置部の先端部がこの傾斜面の上側に接地され、このような接地状態では、載置部が水平状態に保持される。従って、作業靴の靴底は水平状態となり、土手などの傾斜面の草刈り作業などであっても、作業者の足首に大きな負担がかかることがなく、又、作業効率も良く草刈り作業などを容易に行うことができる。
【先行技術文献】
【特許文献】
【０００４】
【特許文献１】特開２０１０−２５９７４１号公報
【発明の概要】
【発明が解決しようとする課題】
【０００５】
しかしながら、この従来の滑り防止具では、脚部の長さ（高さ）と載置部の幅との関係が一定であるために、土手などの傾斜面の角度範囲が所定範囲であると適用することができるが、土手などの傾斜面の傾斜角度がこの所定角度範囲よりも大きいと、滑り防止具の載置部が脚部側に下方に傾斜し、またこの傾斜角度が所定角度範囲よりも小さいと、この載置部が土手側に下方に傾斜し、このように載置部が傾斜したときには作業者の足首への負担が大きくなる。
【０００６】
本発明の目的は、土手などの傾斜面の傾斜角度がかわっても適用することができ、広い傾斜角度範囲にわたって作業者の足首への負担を少なくすることができる作業靴用滑り防止具を提供することである。
【課題を解決するための手段】
【０００７】
本発明の請求項１に記載の作業靴用滑り防止具は、地面に接地する接地側本体部と、作業靴が取り付けられる靴側本体部と、前記接地側本体部と前記靴側本体部との間に介在された角度調整手段とを備え、前記接地側本体部は、地面に接地する接地部材と、前記接地部材の上面側に設けられた第１連結部とを備え、前記靴側本体部は、作業靴が載置される靴載置部材と、前記靴載置部材の下面側に設けられた第２連結部とを備え、前記接地本体部の前記第１連結部と前記靴側本体部の前記第２連結部とが連結手段を介して連結されているとともに、前記角度調整手段を介して角度調整可能に連結されていることを特徴とする。
【０００８】
また、本発明の請求項２に記載の作業靴用滑り防止具では、前記角度調整手段は、前記接地側本体部の前記第１連結部に設けられた第１係合部材と、前記靴側本体部の前記第２連結部に設けられた第２係合部材とから構成され、前記第１係合部材の片面には、複数の第１係合突部及び第１係合凹部が周方向に交互に設けられ、前記第２係合部材における、前記第１係合部材の前記片面に対向する片面には、前記複数の第１係合突部及び第１係合凹部に係合するように、複数の第２係合凹部及び第２係合突部が周方向に交互に設けられていることを特徴とする。
【０００９】
また、本発明の請求項３に記載の作業靴用滑り防止具では、前記連結手段は、前記接地側本体部の前記第１連結部及び前記靴側本体部の前記第２連結部を通して連結するためのロッド状部材を備え、前記角度調整手段に関連して弾性偏倚手段が設けられ、前記弾性偏倚手段は、前記第１係合部材の前記複数の第１係合突部及び第１係合凹部と前記第２係合部材の前記複数の第２係合凹部及び第２係合突部との係合状態を保持するように弾性的に偏倚することを特徴とする。
【００１０】
また、本発明の請求項４に記載の作業靴用滑り防止具では、前記接地側本体部の前記第１連結部又は前記靴側本体部の前記第２連結部には収容空間が設けられ、前記収容空間に移動部材が前記第２連結部又は前記第１連結部に近接及び離隔する方向に移動自在に収容されており、また前記ロッド状部材は前記収容空間を通して延び、前記移動部材は、前記ロッド状部材に設けられた雄ねじ部に螺着され、前記弾性偏倚手段は、前記移動部材と前記第１連結部又は前記第２連結部の端壁部との間に介在されていることを特徴とする。
【００１１】
更に、本発明の請求項５に記載の作業靴用滑り防止具では、前記ロッド状部材の一端側は、前記接地側本体部の前記第１連結部を貫通して外側に突出し、前記ロッド状部材の他端側は、前記靴側本体部の前記第２連結部を貫通して外側に突出し、前記第１連結部及び／又は前記第２連結部には、前記ロッド状部材の一端側突出端部及び／又は他端側突出端部を覆うためのカバー部材が装着されていることを特徴とする。
【発明の効果】
【００１２】
本発明の請求項１に記載の作業靴用滑り防止具によれば、接地側本体部は、地面に接地する接地部材と、この接地部材の上面側に設けられた第１連結部とを備え、靴側本体部は、作業靴が載置される靴載置部材と、靴載置部材の下面側に設けられた第２連結部とを備え、この第１連結部と第２連結部とが角度調整手段を介して連結されているので、この角度調整手段によって、接地側本体部と靴側本体部との相対的角度、即ち接地部材に対する靴載置部材の角度を調整することができる。従って、土手などの傾斜面の傾斜角度が大きい（又は小さい）ときには、接地部材に対する靴載置部材の角度を大きく（又は小さく）することによって、靴側本体部の靴載置部材を水平状態にして作業者の足首への負担を小さくすることができ、土手などの傾斜面の広い傾斜角度範囲にわたって適用することが可能となる。また、作業における安全性に優れ、作業中の危険を排除することができる。
【００１３】
また、本発明の請求項２に記載の作業靴用滑り防止具によれば、接地側本体部側の第１係合部材の片面には、複数の第１係合突部及び第１係合凹部が周方向に交互に設けられ、また靴側本体部側の第２係合部材の片面には、複数の第２係合凹部及び第２係合突部が周方向に交互に設けられているので、第１係合部材の第１係合突部及び第１係合凹部と第２係合部材の第２係合凹部及び第２係合突部とを係合保持することによって、接地側本体部の接地部材と靴側本体部の靴載置部材とを所定の角度状態に保持することができる。また、第１係合部材の第１係合突部及び第１係合凹部と第２係合部材の第２係合凹部及び第２係合突部との周方向の係合状態を変えることによって、接地部材に対する靴載置部材の相対的角度を調整することができ、土手などの傾斜面の傾斜角度が変わってもこのように相対的角度を調整することによって対応することができる。
【００１４】
また、本発明の請求項３に記載の作業靴用滑り防止具では、角度調整手段に関連して弾性偏倚手段が設けられているので、この弾性偏倚手段の弾性偏倚力によって、第１係合部材の複数の第１係合突部及び第１係合凹部と第２係合部材の複数の第２係合凹部及び第２係合突部との係合状態を弾性的に保持することができ、またこの弾性偏倚力に抗して第２係合部材に対して第１係合部材を相対的に移動させることによって、第１及び第２係合部材の上述した係合状態を解除することができる。
【００１５】
また、本発明の請求項４に記載の作業靴用滑り防止具によれば、接地側本体部の第１連結部（又は靴側本体部の第２連結部）に収容空間が設けられ、この収容空間に移動部材が移動自在に収容され、更に移動部材がロッド状部材の雄ねじ部に螺着され、この移動部材と第１連結部の端壁部（又は第２連結部の端壁部）との間に弾性偏倚手段が介在されているので、ロッド状部材を締付け方向に回動させると、弾性偏倚手段が圧縮されて弾性偏倚力が大きくなり、これによって、第１及び第２係合部材の係合状態を強めることができ、またロッド状部材を緩み方向に回動させると、弾性偏倚手段が延びて弾性偏倚力が小さくなり、これによって、第１及び第２係合部材の係合状態を弱めることができる。
【００１６】
更に、本発明の請求項５に記載の作業靴用滑り防止具によれば、ロッド状部材の一端側突出端部（接地側本体部の第１連結部を貫通して外側に突出する端部）及び／又はその端側突出端部（靴側本体部の第２連結部を貫通して外側に突出する端部）を覆うためのカバー部材が設けられているので、取扱い上の安全性を確保することができる。
【図面の簡単な説明】
【００１７】
【図１】本発明に従う作業靴用滑り防止具の一実施形態を示す正面図。
【図２】図１の作業靴用滑り防止具を断面で示す断面図。
【図３】図１の作業靴用滑り防止具における接地側本体部と靴側本体部との係合部分を示す斜視図。
【図４】図２におけるＩＶ−ＩＶ線による断面図。
【図５】靴側本体部に対する接地側本体部の相対的角度を調整した状態を示す断面図。
【図６】靴側本体部の変形形態を示す部分断面図。
【発明を実施するための形態】
【００１８】
以下、添付図面を参照して、本発明に従う作業靴用滑り防止具の一実施形態を説明する。図１及び図２において、図示の作業靴用滑り防止具は、地面に接地する接地側本体部２と、作業靴４が載置される靴側本体部６とを有し、接地側本体部２と靴側本体部６との間に角度調整手段８が設けられている。
【００１９】
接地側本体部２は、地面に接地する接地部材１０を備え、この接地部材１０の後部（図１及び図２において右部）の上面側に第１連結部１２が設けられ、この第１連結部１２は、接地部材１０の後端部からその先端に向けて略中央部付近まで延びている。
【００２０】
接地部材１０の底面には前後方向（図１及び図２において左右方向、図４及び図５において紙面に垂直な方向）及び幅方向（図１及び図２において紙面に垂直な方向、図４及び図５において左右方向）に間隔をおいて複数のスパイク１４が埋設されている。
【００２１】
図示の第１連結部１２は、接地部材１０に固定された筒状の第１本体部１６と、この第１本体部材１６に取り付けられた第１閉塞部材２２とから構成されている。第１本体部１６は、後端側に位置する後壁部１８と、この後壁部１８から前方に延びる周壁部２０とを有し、その開放された前端部に第１閉塞部材２２（第１連結部１２の前壁部として機能する）が取り付けられている。第１連結部１２（第１本体部１６及び第１閉塞部材２２）及び接地部材１０は、例えば硬質のプラスチックなどから形成される。
【００２２】
また、靴側本体部６は、作業靴４が載置される靴載置部材２４を備え、この靴載置部材２４の前部（図１及び図２において左部）の下面側に第２連結部２６が設けられ、この第２連結部２６は、靴載置部材２４の前端部からその後端に向けて略中央部付近まで延びている。
【００２３】
靴載置部材２４の上面には、そのほぼ全域を覆うように取付カバー部材２８が接着剤などにより取り付けられている。図示の取付カバー部材２８は、靴載置部材２４の上面を覆うカバー本体部３０を有し、このカバー本体部３０の前部の両側部に前取付部３２が設けられ、その略中央部の両側部に中取付部３４が設けられている（図１において、左側部に設けられたもののみを示す）。また、カバー本体部３０の後端部には、一方の後端部から後端を経て他方の後端部にわたって後取付部３６が設けられている。
【００２４】
各前取付部３２には前挿通開口３８が設けられ、かかる前挿通開口３８を通して前固定用ベルト４０が装着され、また各中取付部３４には中挿通開口４２が設けられ、かかる中挿通開口４２を通して中固定用ベルト４４が装着され、更に後取付部３６の両側部には後挿通開口４６（図１において一方のみ示す）が設けられ、これら後挿通開口４６を通して後固定用ベルト４８が装着され、このような装着状態においては、図１に示すように、取付カバー部材２８のカバー本体部３０に載置した作業靴４の前部が前固定用ベルト４０により固定され、その中央部が中固定用ベルト４４により固定され、その後部が後固定用ベルト４８により固定され、更に作業靴４の踵部分が後取付部３６により保持され、このようにして作業靴４が取付カバー部材２８を介して靴載置部材２４に取り付けられる。尚、取付カバー部材２８は、例えば硬質ゴムなどから形成され、固定用ベルト４０，４４，４８は、例えば織布などから形成される。
【００２５】
図示の第２連結部２６は、靴載置部材２４に固定された筒状の第２本体部５０と、この第２本体部材５０に取り付けられた第２閉塞部材５２とから構成されている。第２本体部５０は、前端側に位置する前壁部５２と、この前壁部５２から後方に延びる周壁部５４とを有し、その開放された後端部に第２閉塞部材５６（第２連結部２６の後壁部として機能する）が取り付けられ、前壁部５２、周壁部５４及び第２閉塞部材５６によって収容空間５７が規定されている。第２連結部２６（第２本体部５０及び第２閉塞部材５６）及び靴載置部材２４は、例えば硬質のプラスチックなどから形成される。
【００２６】
接地側本体２の第１連結部１２と靴側本体部６の第２連結部２６とは連結手段６０を介して相互に連結されている。図示の形態では、連結手段６０はロッド状部材６２を備え、このロッド状部材６２が連結ボルト６４から構成されている。連結ボルト６４の軸部６６は、接地側本体部２の第１連結部１２（即ち、その後壁部１８及び第１閉塞部材２２）を貫通し、更に靴側本体部６の第２連結部２６（第２閉塞部材５６及び前壁部５２）を貫通して前側に突出し、この突出端部に環状溝６６が設けられ、この環状溝６６に係止部材６７（例えば、Ｃ状リング）が係止され、この係止部材６８と第２連結部２６の前壁部５２との間に幾分かの間隙（この間隙の働きについては後述する）が設けられている。
【００２７】
上述の角度調整手段８は、接地側本体部２の第１連結部１２（具体的には、第１閉塞部材３２）と靴側本体部６の第２連結部２６（具体的には、第２閉塞部材５６）との間に設けられている。図示の角度調整手段８は、相互に解除自在に係合する第１及び第２係合部材７０，７２から構成され、第１係合部材７０が第１連結部１２に取り付けられ、第２係合部材７２が第２連結部２６に取り付けられている。                               
この形態では、第１係合部材７０の背面には複数の第１固定突起７４が設けられ、これら第１固定突起７４を第１閉塞部材２２の表面（図において左面）の第１固定凹部に圧入などすることによって、第１係合部材７０が第１閉塞部材２２に固定されている。また、第２係合部材７２の背面には複数の第２固定突起７６が設けられ、これら複数の第２固定突起７４を第２閉塞部材５６の表面の第２固定凹部に圧入などすることによって、第２係合部材７２が第２閉塞部材５６に固定されている。尚、図２に示すように、第１及び第２係合部材７０，７２の中央部には、連結ボルト６４の軸部６６が挿通される貫通開口が設けられている。
【００２８】
図１及び図２とともに図３を参照して、第１係合部材７０の表面（第２係合部材７２と対応する面）には、第１係合突部７８及び第１係合凹部８０が周方向に交互に設けられ、これらは径方向外方に放射状に延びている。また、第２係合部材７２の表面（第１係合部材７０）と対向する面）には、第１係合部材７０の第１係合突部７８及び第１係合凹部８０に対応して、第２係合凹部８２及び第２係合突部８４が設けられ、これらも径方向外方に延びている。
【００２９】
この角度調整手段８に関連して、弾性偏倚手段８６が設けられ、この弾性偏倚手段８６が圧縮コイルばね８８から構成されている。主として図２及び図４を参照して、靴側本体部６の第２連結部２６内の収容空間５７は、縦断面形状が略矩形状に規定され、かかる収容空間５７に移動部材９０が前後方向（図２において左右方向、図４において紙面に垂直な方向）に移動自在に収容されている。また、連結ボルト６４の軸部６６の中間部には雄ねじ部９２が設けられ、かかる雄ねじ部９２に移動部材９０が螺合されている。圧縮コイルばね８８は、連結ボルト６４の軸部６６を被嵌して移動部材９０と第２閉塞部材５６との間に配設されている。
【００３０】
このように構成されているので、圧縮コイルばね８８は、第２閉塞部材５６（即ち、第２係合部材７２）を第１連結部１２（即ち第１係合部材７０）に向けて弾性的に偏倚し、この圧縮コイルばね８８の弾性偏倚作用によって、第１係合部材７０の第１係合突部７８及び第１係合凹部８０と第２係合部材７２の第２係合凹部８２及び第２係合突部８４とが係合状態に保持され、接地側本体部２の第１連結部１２と靴側本体部６の第２連結部２６とが連結状態に保持される。
【００３１】
そして、この連結状態において、接地側本体部２（例えば、接地部材１０）に矢印９４（図４参照）で示す方向の力を加えると、この接地側本体部２が連結ボルト６４の軸部６６を中心として矢印９６（図５参照）で示す方向に回動し、第１係合部材７０の第１係合突部７８が第２係合部材７２の第２係合突部８４を乗り越えて次の第２係合凹部８２に係合し、このように矢印９４で示す方向の力を複数回にわたって加えることにより、接地側本体部２を例えば図４に示す通常角度状態から矢印９６で示す方向に回動した左傾斜角度状態（例えば、図５に実線で示す傾斜角度状態）に角度調整することができる。
【００３２】
また、接地側本体部２に矢印９８（図４参照）で示す方向の力を加えると、この接地側本体部２が連結ボルト６４の軸部６６を中心として矢印１００（図５参照）で示す方向に回動し、第１係合部材７０の第１係合突部７８が第２係合部材７２の第２係合突部８４を乗り越えて次の第２係合凹部８２に係合し、このように矢印１００で示す方向の力を複数回にわたって加えることにより、接地側本体部２を例えば上記通常角度状態から矢印１００で示す方向に回動した右傾斜角度状態（例えば、図５に一点鎖線で示す傾斜角度状態）に角度調整することができる。
【００３３】
この形態では、上述したように、靴側本体部６の第２連結部２６（具体的には、前壁部５２）と連結ボルト６４に係止された係止部材６６との間に幾分かの隙間が設けられているので、第２連結部２６（靴側本体部６）に対する第１連結部１２（接地側本体部２）の前後方向の相対的移動が許容され、それ故に、第１係合部材７０の第１係合突部７８が第２係合部材７２の第２係合突部８４を上述したように乗り越えることが可能となる。また、連結ボルト６４を締め付け方向（又は緩み方向）に回動すると、移動部材９０が第２閉塞部材５６に近接する方向（又は離隔する方向）に移動し、この移動によって、圧縮コイルばね８８が圧縮されて戻り力（即ち、弾性偏倚力）が大きくなり（又は延びて戻り力が小さくなり）、このようにして第２連結部２６に対して第１連結部１２を移動させるための前後方向の力を調整することができる。
【００３４】
このような作業靴用滑り防止具においては、その全高を低く抑えるために、接地側本体部２の接地部材１０と靴側本体部２６の第２連結部２６（具体的には、周壁部５４）との間隔を小さくするとともに、接地側本体部２の第１連結部１２（具体的には、周壁部２０）と靴側本体部６の靴載置部材２４との間隔を小さくするのが望ましく、これらの間隔は、例えば１〜５ｍｍ程度にするのが望ましい。
【００３５】
次に、上述した作業靴用滑り防止具の使用方法について説明する。この作業靴用滑り防止具を使用するには、図１に示すように、接地側本体部２及び靴側本体部６を通常角度状態（図４も参照）に保持し、この状態において、靴側本体部６の靴載置部材２４の上面（即ち、取付カバー部材２８）に作業靴４を載置し、前固定ベルト４０、中固定ベルト４４及び後固定ベルト４８を用いて作業靴４を靴載置部材２４に固定する。
【００３６】
その後、草刈りなどの作業を行う土手などの傾斜面の傾斜角度に対応するように接地側本体部２を所要の通りに傾斜させる。例えば左傾斜（左側が下方に傾斜する斜面）の場合、接地側本体部２の接地部材１０の左側面に矢印９４（図４）で示す方向の力を加える（例えば、この左側面をコンクリート面などに当てて力を加える）。このように力を加えると、靴側本体部６（第２連結部２６）に対して接地側本体部２（第１連結部１２）が矢印９６（図５参照）で示す方向に回動され、第１連結部１２側の第１係合部材７０の第１係合突部７８が第２連結部２６側の第２係合部材７２の第２係合突部８４を乗り越え、靴側本体部６に対して接地側本体部２が左傾斜される。そして、接地側本体部２の左傾斜角度を大きくするには、上述した動作を繰り返し遂行すればよく、動作を繰り返す毎に、第１係合突部７８が第２係合突部８４を一つずつ乗り越えて第１及び第２係合部材７０，７２の係合状態が保持される。
【００３７】
また、例えば右傾斜（右側が下方に傾斜する斜面）の場合、接地側本体部２の接地部材１０の右側面に矢印９８（図４）で示す方向の力を加える（例えば、この右側面をコンクリート面などに当てて力を加える）。このように力を加えると、靴側本体部６（第２連結部２６）に対して接地側本体部２（第１連結部１２）が矢印１００（図５参照）で示す方向に回動され、第１係合部材７０の第１係合突部７８が第２係合部材７２の第２係合突部８４を乗り越え、靴側本体部６に対して接地側本体部２が右傾斜される。そして、接地側本体部２の右傾斜角度を大きくするには、上述したと同様に、上述した動作を繰り返し遂行すればよく、動作を繰り返す毎に、第１係合突部７８が第２係合突部８４を一つずつ乗り越えて第１及び第２係合部材７０，７２の係合状態が保持される。
【００３８】
このように左靴側本体部６に対して接地側本体部２を左傾斜（又は右傾斜）させた状態で土手などの左傾斜面（又は右傾斜面）に沿って歩くと、接地部材１０の底面が土手などの左斜面（又は右斜面）に接地し、この接地状態においては、靴側本体部６の靴載置部材２４が水平状態に保たれる。従って、土手などの左斜面（又は右斜面）の草刈りなどの作業を行っても、作業者の足首に負担がかかかることがほとんどなく、足首に負担なく作業を行うことができる。
【００３９】
上述した実施形態では、連結ボルト６４の軸部６６の突出端部が第２連結部６の前壁部５２から外部に露呈しているが、取扱い上の安全性などを考慮して、図６に示すように、この突出端部を覆うようにしてもよい。
【００４０】
図６において、この変形形態では、靴側本体部６Ａの第２連結部２６Ａに修正が施されている。更に説明すると、第２連結部２６Ａの第２本体部５０Ａの前端側が開放され、この前開放端部に前閉塞部材１０２（第２本体部５０Ａの前壁部として機能する）が装着されている。この形態では、第２本体部５０Ａの周壁部５４Ａの前開放端部に拡大内径部１０４が設けられ、この拡大内径部１０４に前閉塞部材１０２が例えば圧入などにより装着されている。
【００４１】
この周壁部５４Ａの拡大内径部１０４の前開放端部（前閉塞部材１０２から前方に延びる部位）には雌ねじ部１０６が設けられている。一方、連結ボルト６４の突出端部を覆うためのカバー部材１０８はカップ状であり、このカップ状の周側壁１１０の先端部外周に雄ねじ部が設けられ、この雄ねじ部を周壁部５４Ａ側の雌ねじ部１０６に螺着することによって、カバー部材１０８が第２連結部２６Ａの第２本体部５０Ａに装着される。この装着状態においては、図６に示すように、カバー部材１０８が連結ボルト６４の軸部６６の突出端部及び係止部材６８を覆い、これらが外部の露呈することない。
【００４２】
この変形形態では、連結ボルト６４の突出端部を覆っているが、この突出端部に代えて、或いはこれに加えて、連結ボルト６４の頭部を覆うようにしてもよい。この場合、上述したと同様に構成すればよく、例えば第１連結部１２の第１本体部１６の後端側を開放し、この後開放端部に後閉塞部材を取り付けるとともに、連結ボルト６４の頭部を覆うようにカバー部材を螺着するようにすればよい。
【００４３】
以上、本発明に従う作業靴用滑り防止具の一実施形態について説明したが、本発明はかかる実施形態に限定されるものではなく、本発明の範囲を逸脱することなく種々の変形乃至修正が可能である。
【００４４】
例えば、上述した実施形態では、連結手段６０のロッド状部材６２として連結ボルト６４を用いているが、この連結ボルト６４に代えて、一端部に雄ねじ部を有するロッド状部材を用い、このロッド状部材にナットを螺着して連結ロッドして機能させてもよい。或いは、このロッド状部材の他端部にも雄ねじ部を設け、この雄ねじ部にナットなどを螺着し、このナットなどを係止部材として機能させるようにしてもよい。
【００４５】
また、例えば、上述した実施形態では、連結ボルト６４を第１連結部１２側から第２連結部２６側に挿通し、この第２連結部２６側に収容空間５７を設けて移動部材９０及び弾性偏倚手段８６を配設しているが、これとは反対に、第２連結部２６側から第１連結部１２側に挿通するようにしてもよく、この場合、第１連結部１２内に上述した収容空間を設け、この収容空間内に上述したと同様にして移動部材及び弾性偏倚手段を設けるようにすればよい。
【符号の説明】
【００４６】
２  接地側本体部
４  作業靴
６，６Ａ  靴側本体部
８  角度調整手段
１０  接地部材
１２  第１連結部
２４  靴載置部材
２６，２６Ａ  第２連結部
６０  連結手段
６４  連結ボルト
６８  係止部材
７０  第１係合部材
７２  第２係合部材
８６  弾性偏倚手段
９０  移動部材
【図１】
2016039844.tif 000003
【図２】
2016039844.tif 000004
【図３】
2016039844.tif 000005
【図４】
2016039844.tif 000006
【図５】
2016039844.tif 000007
【図６】
2016039844.tif 000008